(57)【要約】【課題】ユーザの退席中にでもコンピュータのセキュリティを保ちつつ、ユーザの利便性を向上することができる情報処理装置、ステータス変更システム、およびプログラムを提供する。【解決手段】Ｂｌｕｅｔｏｏｔｈ（登録商標）を備えた認証済みの携帯端末１を所持しているユーザがコンピュータ１０から所定の範囲内にいないと判定されると、ＶＯＩＰアプリケーションのステータスを退席中に切り替え、ユーザが所定の範囲内に戻ったと判定されると、ステータスをオンラインに切り替える。【選択図】      図１
2008191713.tif 000002
【特許請求の範囲】
【請求項１】
ネットワークに接続してリアルタイムに通信を行うアプリケーションを備えた情報処理装置であって、
近距離無線通信手段を備えた携帯端末を前記近距離無線通信手段を介して認証する認証手段と、
前記認証手段により認証済みである携帯端末が当該情報処理装置から所定の範囲内にあるか否かを検知する検知手段と、
前記検知手段によって前記所定の範囲内にないと判定された場合、前記アプリケーションが保持するステータスを第１のステータスから第２のステータスに切り替える第１の切替手段と、
前記検知手段によって所定の範囲内にあると判定された場合、前記アプリケーションが保持するステータスを前記第２のステータスから前記第１のステータスに切り替える第２の切替手段と、
を具備することを特徴とする情報処理装置。
【請求項２】
請求項１に記載の情報処理装置において、
前記近距離無線通信手段は、Bluetoothで規定される通信方式を用いた通信手段であることを特徴とする情報処理装置。
【請求項３】
請求項１に記載の情報処理装置において、
前記アプリケーションは、インターネットプロトコルを用いた通信および通話のいずれか１つ以上を行うことを特徴とする情報処理装置。
【請求項４】
請求項１に記載の情報処理装置において、
前記第１のステータスは、話中状態を示すオンラインステータスであり、前記第２のステータスは、話中でない状態を示すステータスであることを特徴とする情報処理装置。
【請求項５】
請求項１に記載の情報処理装置において、
前記検知手段は、前記近距離無線通信手段の検出可能範囲か否かに基づいて、前記所定の範囲内にいるか否かを検知することを特徴とする情報処理装置。
【請求項６】
請求項１に記載の情報処理装置において、
前記検知手段は、所定の時間が経過した後に、前記アプリケーションのステータスを第１のステータスから第２のステータスに切り替えることを特徴とする情報処理装置。
【請求項７】
ネットワークに接続してリアルタイムに通信を行うアプリケーションを備えた情報処理装置と、近距離無線通信手段を備えた携帯端末とから構成されるステータス変更システム
であって、
前記情報処理装置は、
前記携帯端末を当該携帯端末が備える近距離無線通信手段を介して認証する認証手段と、
前記認証手段により認証済みである携帯端末が当該情報処理装置から所定の範囲内にあるか否かを検知する検知手段と、
前記検知手段によって前記所定の範囲内にないと判定された場合、前記アプリケーションが保持するステータスを第１のステータスから第２のステータスに切り替える第１の切替手段と、
前記検知手段によって所定の範囲内にあると判定された場合、前記アプリケーションが保持するステータスを前記第２のステータスから前記第１のステータスに切り替える第２の切替手段と、
を具備することを特徴とするステータス変更システム。
【請求項８】
ネットワークに接続してリアルタイムに通信を行うアプリケーションを備えたコンピュータに、
近距離無線通信手段を備えた携帯端末を前記近距離無線通信手段を介して認証する認証手順と、
前記認証手順により認証済みである携帯端末が前記情報処理装置から所定の範囲内にあるか否かを検知する検知手順と、
前記検知手順によって前記所定の範囲内にないと判定された場合、前記アプリケーションが保持するステータスを第１のステータスから第２のステータスに切り替える第１の切替手順と、
前記検知手順によって所定の範囲内にあると判定された場合、前記アプリケーションが保持するステータスを前記第２のステータスから前記第１のステータスに切り替える第２の切替手順と、
を実行させるためのプログラム。
【発明の詳細な説明】
【技術分野】
【０００１】
本発明は、リアルタイム通信ソフトのステータス変更を自動で行うアプリケーションを搭載したパーソナルコンピュータのような情報処理装置、ステータス変更システム、およびプログラムに関する。
【背景技術】
【０００２】
近年、パーソナルコンピュータにおける利便性の要求が高まってきている。例えば、ユーザがコンピュータを操作していない退席中に、赤外線センサでユーザの退席時間を検出し、コンピュータを所定の処理状態に切り替える技術が開示されている（特許文献１参照）。
【特許文献１】特開２００４−２１３３２３号公報
【発明の開示】
【発明が解決しようとする課題】
【０００３】
しかし、特許文献１の技術では、コンピュータのセキュリティが確保されておらず、またユーザがコンピュータに近傍のいるにもかかわらず、赤外線センサの向く方向にいなければ在席していることが分からない。さらに、近年利用が高まってきているＶＯＩＰ（Voice over Internet Protocol）を利用した通話ソフトを使用しているユーザが一時的にでも退席する場合、通話ソフトに備えられたステータスをオンライン（在席中）から退席中に手動で都度変更する必要がある。
【０００４】
本発明は上述の事情を考慮してなされたものであり、ユーザがステータスを変更せずに退席してもそのコンピュータのセキュリティを保ちつつ、ユーザの利便性も向上することができる情報処理装置、ステータス変更システム、およびプログラムを提供することを目的とする。
【課題を解決するための手段】
【０００５】
上記目的を達成するために、本発明の一態様によれば、ネットワークに接続してリアルタイムに通信を行うアプリケーションを備えた情報処理装置であって、近距離無線通信手段を備えた携帯端末を前記近距離無線通信手段を介して認証する認証手段と、前記認証手段により認証済みである携帯端末が当該情報処理装置から所定の範囲内にあるか否かを検知する検知手段と、前記検知手段によって前記所定の範囲内にないと判定された場合、前記アプリケーションが保持するステータスを第１のステータスから第２のステータスに切り替える第１の切替手段と、前記検知手段によって所定の範囲内にあると判定された場合、前記アプリケーションが保持するステータスを前記第２のステータスから前記第１のステータスに切り替える第２の切替手段と、を具備することを特徴とする情報処理装置が提供される。
【発明の効果】
【０００６】
本発明によれば、携帯端末を携帯したユーザが情報処理装置が設置された場所から意識することなく退席しても、コンピュータのセキュリティを保つことができる。
【発明を実施するための最良の形態】
【０００７】
以下、図面を参照して本発明の実施形態を説明する。  
図１に示すように、コンピュータ１０の本体側は薄い箱形の筐体を有しており、その上面には、キーボード１３、パームレスト上にはタッチパッド３５、および左右２つのボタン、メール等の各種ショートカットボタン、音量制御ボタン、電源ボタン１４、スピーカ等が配置されている。また、本体の側面には、光学ドライブ等が設けられている。そして、パームレスト中には、近距離無線通信を行うＢｌｕｅｔｏｏｔｈ（登録商標）通信部２７が内蔵されている。なお、近距離無線通信として、本実施形態では、Ｂｌｕｅｔｏｏｔｈ（登録商標）を用いて説明しているが、無線ＬＡＮ等の他の無線を用いた接続方法を用いてもよい。
【０００８】
Ｂｌｕｅｔｏｏｔｈ（登録商標）通信部２７を介して接続を行う接続先デバイスには、例えば、Ｂｌｕｅｔｏｏｔｈ（登録商標）通信機能を備えた携帯電話１が挙げられる。
【０００９】
図２は、コンピュータ１０の構成を示したブロック図である。
【００１０】
このパーソナルコンピュータ１０は、図示のように、ＣＰＵ（Central Processing Unit）１１、ノースブリッジ１２、主メモリ３８、グラフィクスコントローラ１７、表示装置（ＬＣＤ）１５、サウスブリッジ１６、ハードディスクドライブ（ＨＤＤ）２０、ＢＩＯＳ−ＲＯＭ２１、エンベデッドコントローラ／キーボードコントローラＩＣ（ＥＣ／ＫＢＣ）２２、および電源コントローラ（ＰＳＣ）２３、キーボード（ＫＢ）１３、タッチパッド３５、近距離無線通信を行うＢｌｕｅｔｏｏｔｈ（登録商標）通信部（以下、ＢＴ通信部とも称する）２７、ＩＰ（Internet Protocol）電話網接続部５０などを備えている。ＨＤＤ２０には、後術するＶＯＩＰ（Voice over Internet Protocol）アプリケーション等が記憶されており、ＩＰ電話網接続部５０を介してＩＰ電話の接続を制御する。なお、ＶＯＩＰアプリケーションプログラム（以下、ＶＯＩＰアプリケーションと称する）６０は、例えば、ＶＯＩＰを用いて行われる通話ソフトであり、チャット機能等の通信機能も備えているものもある。
【００１１】
ノースブリッジ１２、グラフィクスコントローラ１７、サウスブリッジ１６の各々は、PCI EXPRESS規格に準拠したデバイス（コンポーネント）である。ノースブリッジ１２とグラフィクスコントローラ１７との間の通信は、ノースブリッジ１２とグラフィクスコントローラ１７との間に配設されたPCI EXPRESSリンク２１を介して実行される。各PCI EXPRESSリンクはシリアルインタフェースから構成される通信路であり、アップストリームレーンおよびダウンストリームレーンを含む。
【００１２】
ＣＰＵ１１は本コンピュータの動作を制御するプロセッサであり、ＨＤＤ２０から主メモリ３８にロードされる各種プログラム（オペレーティングシステム、ＶＯＩＰアプリケーションプログラム等）を実行する。また、ＣＰＵ１１は、ＢＩＯＳ−ＲＯＭ２１に格納されたＢＩＯＳ（Basic Input Output System）も実行する。ＢＩＯＳはハードウェアを制御するためのプログラムである。また、ＢＩＯＳは、PCI Express 規格で規定されたActive State Power Management （ASPM）機能の実行を本コンピュータの動作モードに応じて動的に許可または禁止するためのＳＭＩ（System Management Interrupt）ルーチンを有している。
【００１３】
ノースブリッジ１２はＣＰＵ１１のローカルバスとサウスブリッジ１６との間を接続するブリッジデバイスである。ノースブリッジ１２には、主メモリ３８をアクセス制御するメモリコントローラも内蔵されている。また、ノースブリッジ１２は、PCI EXPRESSリンク２１を介してグラフィクスコントローラ１７との通信を実行する機能も有している。
【００１４】
グラフィクスコントローラ１７は本コンピュータのディスプレイモニタとして使用されるＬＣＤ１５を制御する表示コントローラである。サウスブリッジ１６は、ＬＰＣ（Low Pin Count）バス３０上のＢＴ通信部２７等の各デバイスの制御も実行する。
【００１５】
エンベデッドコントローラ／キーボードコントローラＩＣ（ＥＣ／ＫＢＣ）２２は、電力管理のためのエンベデッドコントローラと、キーボード（ＫＢ）１３およびタッチパッド３５を制御するためのキーボードコントローラとが集積された１チップマイクロコンピュータである。このエンベデッドコントローラ／キーボードコントローラＩＣ（ＥＣ／ＫＢＣ）２２は、ユーザによるパワーボタン２４の操作に応じて、電源コントローラ（ＰＳＣ）２３と共同して、本コンピュータ１０をパワーオン／パワーオフする機能を有している。さらに、エンベデッドコントローラ／キーボードコントローラＩＣ（ＥＣ／ＫＢＣ）２２は、本コンピュータに対するＡＣアダプタ２８の接続および取り外しを検出する機能も有している。
【００１６】
図３は、主メモリ３８にロードされ、ＣＰＵ１１によって実行されるＶＯＩＰアプリケーション６０の機能ブロック図を示したものである。
【００１７】
ＶＯＩＰアプリケーション６０は、検知手段６２、切替手段６３、無線通信手段６４を備える。検知手段６２は、Ｂｌｕｅｔｏｏｔｈ（登録商標）通信部２７を介して無線通信の圏外か否かで携帯電話１等の近距離無線通信端末を検出しているか否かを判定する。切替手段６３は、ＶＯＩＰアプリケーション６０が備えているステータス、例えば、「オンライン」、「退席中」等を切り替える（図４参照）。無線通信手段６４は、Ｂｌｕｅｔｏｏｔｈ（登録商標）等の近距離無線通信を制御する。なお、ユーザの退席に応じて、「オンライン・話中のステータス」から「退席中のステータス」に切替が行われたときには、ＶＯＩＰアプリケーション６０の設定を、通話要求やチャット接続要求等の接続要求等を「許可」から「拒否」の設定とすることも可能である。
【００１８】
図４は、ＶＯＩＰアプリケーション６０を示した模式図である。ＶＯＩＰアプリケーション６０は、当該アプリケーションで認識されているユーザを表示するユーザ表示領域６８とステータス変更部７０を備えている。ステータス変更部７０は、通常、ユーザによって手動で変更されるものであるが、本発明では、ユーザの退席を検出するとあらかじめ設定されたステータスに自動で変更される。
【００１９】
次に、図５のフローチャートを参照して、本発明の実施形態に係る情報処理装置およびステータス変更システムを適用した制御方法およびプログラムについて説明する。
【００２０】
コンピュータ１０のＢｌｕｅｔｏｏｔｈ（登録商標）通信部２７は、ユーザが所持するＢｌｕｅｔｏｏｔｈ（登録商標）通信機能を備えた携帯電話と認証処理を行う（ステップＳ１０１）。この認証処理後には、ユーザが所持する携帯電話は、認証済み端末としてコンピュータ１０に登録される。
【００２１】
ＶＯＩＰアプリケーション６０が起動され、ＶＯＩＰアプリケーション６０の検知手段６２の処理が開始される（ステップＳ１０２）。ＶＯＩＰアプリケーション６０の検知手段６２は、ユーザが退席したか否かを判定する（ステップＳ１０３）。ユーザが所持する携帯電話が、Ｂｌｕｅｔｏｏｔｈ（登録商標）の通信圏外となった場合は、ＶＯＩＰアプリケーション６０の検知手段６２は、ユーザが退席したと判定し（ステップＳ１０３のＹＥＳ）、ＶＯＩＰアプリケーション６０のステータス変更部７０のステータスを「退席中」に変更する（ステップＳ１０４：図４参照）。次に、ＶＯＩＰアプリケーション６０の検知手段６２は、ユーザが席に戻ったか否かを判定する（ステップＳ１０５）。ユーザが所持する携帯電話が、Ｂｌｕｅｔｏｏｔｈ（登録商標）の通信圏内となった場合は、ＶＯＩＰアプリケーション６０の検知手段６２は、ユーザが席に戻ったと判定し（ステップＳ１０５のＹＥＳ）、ＶＯＩＰアプリケーション６０のステータス変更部７０のステータスを「オンライン」に変更する（ステップＳ１０６：図４参照）。
【００２２】
なお、上述した実施形態では、ＶＯＩＰアプリケーションのステータス変更について説明したが、同様に、ＶＯＩＰアプリケーションを介して受信されるチャット接続要求やファイル転送要求、各種スクリプト要求等に対しても、ユーザの退席に応じて「許可：オンラインのステータス（話中）」から「拒否：退席中のステータス」へ設定を切り替えたりすることが可能である。
【００２３】
以上、本発明によれば、ユーザに意識させることなく退席中にＶＯＩＰアプリケーションにおける接続要求を拒否することで、コンピュータのセキュリティを保つことができる。また、利用中のＶＯＩＰアプリケーションのステータスをユーザの退席や着席に応じて自動的に切り替え、煩雑な処理容易に行うことができる。
【００２４】
なお、本実施形態の制御処理はすべてソフトウェアによって実現されているので、認証制御処理の手順を実行するプログラムをコンピュータ読み取り可能な記憶媒体を通じて通常のコンピュータにインストールするだけで、本実施形態と同様の効果を優位に得ることが可能となる。
【００２５】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２６】
【図１】本発明のステータス変更システムの一実施形態に係るに情報処理装置および携帯電話を示した斜視図。
【図２】本発明の一実施形態に係る情報処理装置のシステム構成を示すブロック図。
【図３】ＶＯＩＰアプリケーションを示した機能ブロック図。
【図４】ＶＯＩＰアプリケーションを示した模式図。
【図５】本発明の実施形態に係るステータス変更システムおよび情報処理装置を適用した制御方法およびプログラムについて説明したフローチャート。
【符号の説明】
【００２７】
１…携帯電話、１０…コンピュータ、１１…ＣＰＵ、１７…グラフィクスコントローラ、１６…サウスブリッジ、２０…ハードディスク、２２…ＥＣ／ＫＢＣ、２７…Ｂｌｕｅｔｏｏｔｈ（登録商標）通信部、５０…ＩＰ電話網接続部、６０…ＶＯＩＰアプリケーション、６２…検知手段、６３…切替手段、６４…無線通信手段
【図１】
2008191713.tif 000003
【図２】
2008191713.tif 000004
【図３】
2008191713.tif 000005
【図４】
2008191713.tif 000006
【図５】
2008191713.tif 000007